(57)【要約】  本発明は、基部（２）と、喫煙品（４）を個別に包むラッパー（３）とを含む包装部材に関する。ラッパーは、ラッパーの第１および第２セクション（１２、１３）を定める弱化された線（１０）を有し、第１セクションは、基部に固定される。従って第２セクションが基部から離れるように引っ張られた際に第２セクションが第１セクションから離れて、ラッパーの第２セクションから喫煙品の一部を露出させる。また本発明は、包装部材を含む喫煙品用パッケージに関する。
2014521562.tif 000002
【特許請求の範囲】
【請求項１】
基部（２）と、喫煙品（４）を個別に包むラッパー（３ａ−３ｈ）とを含み、ラッパー（３ａ−３ｈ）は、ラッパー（３ａ−３ｈ）の第１および第２セクション（１２、１３）を定める弱化された線（１０）を有する喫煙品用包装部材であって、第１セクション（１２）が基部（２）に固定され、第２セクション（１３）が基部（２）から離れるように引っ張られた際に第２セクション（１３）が第１セクション（１２）から離れて、ラッパー（３ａ−３ｈ）の第２セクション（１３）から喫煙品（４）の一部を露出させる包装部材。
【請求項２】
さらに２つ以上のラッパー（３ａ−３ｈ）を含み、各ラッパー（３ａ−３ｈ）が基部（２）に固定されていることを特徴とする請求項１記載の包装部材。
【請求項３】
ラッパー（３ａ−３ｈ）が喫煙品 （４）を収容可能なスリーブを形成することを特徴とする請求項１または２記載の包装部材。
【請求項４】
弱化された線（１０）がラッパー（３ａ−３ｈ）の周囲で円周方向に延びていることを特徴とする請求項１乃至３いずれか１項記載の包装部材。
【請求項５】
弱化された線 （１０）が一連のミシン目（３ａ−３ｈ）であることを特徴とする請求項１乃至４いずれか１項記載の包装部材。
【請求項６】
弱化された線（１０）は、ラッパー（３ａ−３ｈ）内の一部を通って延びた厚みの薄い線であることを特徴とする請求項１乃至４いずれか１項記載の包装部材。
【請求項７】
ラッパー（３ａ−３ｈ）の第２セクション（１３）が第１セクション（１２）より多く喫煙品（４）を包むように構成されていることを特徴とする請求項１乃至６いずれか１項記載の包装部材。
【請求項８】
ラッパー（３ａ−３ｈ）が基部（２）から直立していることを特徴とする請求項１乃至７いずれか１項記載の包装部材。
【請求項９】
基部（２）が壁と、基部（２）から直立した支持部とを含み、ラッパー（３ａ−３ｈ）が支持部に取り付けられることを特徴とする請求項８記載の包装部材。
【請求項１０】
ラッパー（３ａ−３ｈ）の第２セクション（１３）が基部（２）から離れていることを特徴とする請求項１乃至９いずれか１項記載の包装部材。
【請求項１１】
第１セクション（１２）の一端（８）が基部（２）に固定されていることを特徴とする請求項１乃至１０いずれか１項記載の包装部材。
【請求項１２】
ラッパー（３ａ−３ｈ）内に収容された喫煙品（４）をさらに含むことを特徴とする請求項１乃至１１いずれか１項記載の包装部材。
【請求項１３】
喫煙品（４）が一端にフィルター部分（１５）を含み、フィルター部分（１５）が第１セクション（１２）に収容されることを特徴とする請求項１２記載の包装部材。
【請求項１４】
請求項１乃至１３いずれか１項記載の包装部材を含む喫煙品用パッケージ。
【請求項１５】
さらに外方シェル（１８）を含み、包装部材が外方シェル（１８）に収容されることを特徴とする請求項１４記載のパッケージ。
【請求項１６】
基部（２）が外方シェル（１８）に固定されていることを特徴とする請求項１５記載のパッケージ。
【請求項１７】
基部（２）が外方シェル（１８）の壁（２０、２１、２２、２３）であることを特徴とする請求項１５記載のパッケージ。
【発明の詳細な説明】
【技術分野】
【０００１】
本発明は、喫煙品用包装部材に関する。さらにまた本発明は、包装部材を含む喫煙品用パッケージに関するが、これらに限定されない。
【背景技術】
【０００２】
喫煙品用の保護パッケージまたは容器は、よく知られており、喫煙品を損傷および／または汚染から守るためにタバコ業界では広く使用されている。このような保護パッケージは、通常、複数の喫煙品が収容される硬質シェルと共に可撓性保護カバーを含み、この保護カバーは、硬質シェルを囲み、例えば水分による汚染を妨げるためにパッケージの内容物を気密状態に密閉する。
【０００３】
このような保護カバーの一例として、パッケージの硬質シェルの周囲で折り曲げられ、その周囲で封止されるセロハンフィルムまたはラッパーが挙げられる。ラッパーは、望ましくない汚染物質または水分の進入を妨げ、喫煙品の鮮度を維持するために喫煙品パッケージを水密に封止する。通常このようなラッパーは、開封帯によってユーザーが開封する。
【０００４】
しかしながら、一度ユーザーがラッパーを開封して、パッケージ内の１つ以上の 喫煙品を取り出すと、残りの喫煙品がラッパーによって保護されないという問題が従来のラッパーにおいて認識されている。従ってラッパーは再封止可能ではないので、セロハンラッパーが一度取り除かれると、パッケージの残りの内容物は、水分の進入および汚染から保護されない。
【０００５】
上記の問題を解決する試みとして、個々の喫煙品を個別にラッパーで包装することが知られている。しかしながら、このようなラッパーは開封しにくく、また開封するのに時間も掛かり、開封するためにラッパーを扱う際にラッパー内の個々の喫煙品が損傷を受けることがあり、不利である。
【発明の概要】
【発明が解決しようとする課題】
【０００６】
上記の事を鑑み、本発明は上述の問題点を克服するまたは実質的に軽減する喫煙品用包装部材および／または喫煙品用パッケージを提供することを目的としている。
【課題を解決するための手段】
【０００７】
本発明では基部と喫煙品を個々に包むことが可能なラッパーとを含み、ラッパーはその第１および第２セクションを定める弱化された線を有し、第１セクションは、基部に固定され、第２セクションが基部から離れるように引っ張られた際に第２セクションが第１セクションから離れて、ラッパーの第２セクションから喫煙品の一部を露出させる喫煙品用の包装部材が提供される。
【０００８】
本発明の包装部材は、さらに２つ以上のラッパーを含み、各ラッパーが基部に固定されると有利である。
【０００９】
ラッパーが喫煙品を収容できるスリーブを形成すると都合がよい。
【００１０】
上記弱化された線は、ラッパーの周囲で円周方向に延びると有利である。
【００１１】
ある実施態様では弱化された線は、一連のミシン目である。
【００１２】
別の実施態様では弱化された線は、ラッパー内の一部を通って延びた厚みの薄い線である。
【００１３】
ラッパーの第２セクションは、第１セクションより多く喫煙品を囲むように構成されると都合がよい。
【００１４】
ラッパーは、基部から直立してもよい。
【００１５】
基部は、壁と、基部から直立した支持部を含み、ラッパーが支持部に取り付けられると有利である。
【００１６】
ラッパーの第２セクションは、基部から離れて位置してもよい。
【００１７】
第１セクションの一端は基部に固定されると有利である。
【００１８】
包装部材は、ラッパー内に収容された喫煙品をさらに含んでもよい。
【００１９】
喫煙品は、一端にフィルター部分を含んでもよく、そのフィルター部分は、第１セクションに収容されてもよい。
【００２０】
本発明の別の態様では上述の包装部材を含む喫煙品用パッケージが提供される。
【００２１】
パッケージは、さらに外方シェルを含み、上記包装部材が外方シェルに収容されると都合がよい。
【００２２】
基部は、外方シェルに固定してもよい。
【００２３】
基部は外方シェルの壁であると都合がよい。
【００２４】
本発明の好ましい実施態様をあくまで例示を目的として添付図面を参照して説明する。
【図面の簡単な説明】
【００２５】
【図１】本発明の実施態様による喫煙品用包装部材の斜視図である。
【図２】１本の喫煙品を離した状態の図１に示した喫煙品の用包装部材の斜視図である。
【図３】ラッパーの上方セクションから１本の喫煙品を部分的に取り出した２本の喫煙品が離れた状態の図１に示した喫煙品の用包装部材の斜視図である。
【図４】喫煙品用包装部材を含む喫煙品用パッケージの斜視図である。
【発明を実施するための形態】
【００２６】
図１〜３を参照すると基部２および基部２から直立した複数の個別のラッパー３ａ−３ｈを含む喫煙品用の包装部材１が示されている。個々の喫煙品４は、各喫煙品４が個別にラッパー３ａ−３ｈの１つに包まれるように個別にラッパー３ａ−３ｈのいずれかに収容されている。
【００２７】
本明細書中で使用する「喫煙品」なる用語は、タバコ、タバコ派生物、膨張タバコ、再生タバコまたはタバコ代替え品をベースにしているかに関係なく紙巻きタバコ、シガーおよびシガリロなどの喫煙可能な製品および発熱するが燃焼しない製品を含むが、これらに限定されない。喫煙品には喫煙者によって吸引される気体流用のフィルターを設けてもよい。本実施態様において、各個別のラッパー３ａ−３ｈが紙巻きタバコを包んでいるが、当然のことながらこのような構成を他の喫煙品、例えばシガーまたはシガリロなどに使用することも可能である。
【００２８】
基部２は、パネルエレメントであり、本実施例では硬質の板紙から形成されるが、当然のことながら材料はこれに限定されない。基部２は、上下面５、６を有する矩形であり、後述するように喫煙品用パッケージの外方シェル内に挿入されるように構成されている。
【００２９】
各個別のラッパー３ａ−３ｈは、円筒状の外方壁７と、下方端部８と上方端部９とを 含み、それぞれがラッパー３内に収容された喫煙品４に接して位置し、喫煙品を包み込んでいる。
【００３０】
個々のラッパー３ａ−３ｈは、セロハンフィルムなどの可撓性プラスチック材から形成されるが、当然のことながらラッパーを別の材料、例えばアルミニウム箔から形成してもよい。プリントまたはエンボス加工された図柄（図示せず）が円筒状の外方壁７および上方端部９それぞれの外面に形成される。
。
【００３１】
各ラッパー３ａ−３ｈは、円筒状の外方壁７の周囲を円周方向に延び、上下端部９、８から離れて位置している穿孔されたストリップ１０を有する。穿孔されたストリップ１０は、ラッパーの円筒状の外方壁７の周囲に延びた弱化された線として機能し、ラッパーを弱化された線１０に沿って互いに分離可能な第１および第２セクション１２、１３に分けている。
【００３２】
第１および第２セクション１２、１３の間の弱化された線は、穿孔されたストリップであるが、当然のことながらこれら２つのセクションを互いに対して強制的に分離させる力が加えられた際に第１セクション１２を第２セクション１３から容易に分離できるあらゆる他の弱化された線を使用してもよい。特に別の実施態様では弱化された線１０は、円筒状の外方壁７の周囲で円周方向に延びた壁の厚みを薄くすることによって形成された線である。壁の厚みを薄くした線は、ラッパー内の一部を通って延びているが、円筒状の外方壁７を通ってラッパーの内面までは延びていない。従ってラッパー３ａ−３ｈの完全性は維持され、ラッパー３ａ−３ｈの外部の汚染物質および空気は、ラッパー３ａ−３ｈ内に包み込まれている喫煙品と連通することは不可能である。壁の厚みを薄くして形成される線は、レーザーカットによって形成されるが、これとは別の手段で壁の厚みを薄くして形成される線を形成することも可能である。本実施例では壁の厚みを薄くして形成される線は、均一の厚みを有するが、厚みが変化してもよい。
【００３３】
各ラッパー３ａ−３ｈの第１セクション１２は、ラッパーの下方端部８およびこの下方端部８から弱化された線へと直立した円筒状の外方壁７の下方部分を含み、各ラッパー３ａ−３ｈの第２セクション１３は、ラッパーの上方端部９およびこの上方端部９から弱化された線へと直立した円筒状の外方壁７の上方部分を含む。
【００３４】
各ラッパー３ａ−３ｈの下方端部８は、接着剤で基部２の上面５に接着され、各ラッパーは、基部２に固定される。従ってラッパー３ａ−３ｈは、それぞれ基部２から直立し、各ラッパーの第１セクション１２が基部に固定され、第２セクション１３は基部２から離れている。本実施例では８つのラッパー３ａ−３ｈを示しているが、当然のことながらラッパーの数はこれに限定されない。さらに図ではラッパー３ａ−３ｈを互いに離して均等に配置して示しているが、当然のことながら隣接するラッパーは、互いに当接してもよく、あるいは不均等に離れて位置してもよい。
【００３５】
各個別のラッパー３ａ−３ｈは、対応する喫煙品４を包み、封止する。各ラッパー３ａ−３ｈは、ラッパーが喫煙品４を包み込むように包装部材１の組み立て作業中に対応する喫煙品４の周囲に形成される。しかしながら当然のことながら、ラッパーの第１および第２セクション１２、１３を後述するように分離した際に喫煙品４は、ラッパー３ａ−３ｈからスライド可能である。
【００３６】
各喫煙品４は、一般的に円筒状であり、喫煙品部分１４およびフィルター部分１５（図３参照）を含む。フィルター部分１５は、喫煙品部分１４の一端に配されている。各喫煙品４のフィルター部分１５は、対応するラッパーの第１セクション１２に収容されるが、フィルター部分１５の一部は、ラッパーの第２セクション１３内に延びてもよい。
【００３７】
包装部材１は、喫煙品用パッケージ１６に収容され、このようなパッケージは、従来のものであるが、当然のことながら本発明は、これに限定されない。このような従来のパッケージ１６の外形を図４に示し、これは一般に喫煙品収容スペース１９を形成する外方シェル１８を含み、さらに底壁２０、この底壁２０から直立した前方、後方および側壁２１、２２、２３および上方開口部２４を含み、ここからパッケージ内に配された喫煙品に触れることができる。このような従来のパッケージの上方開口部２４は、蓋（図示せず）によって閉じることができ、外方シェル１８および蓋は、通常、硬い板紙などの硬質材から形成され、喫煙品収容スペース１９に収容された喫煙品が潰されたり、または損傷を受けたりしないようにしている。
【００３８】
包装部材１は、パッケージ１６の組み立て作業中に喫煙品収容スペース１９に配される。基部２は、底壁２０に接して位置し、底壁２０に貼り付けられ、これにより包装部材１がパッケージ１６内に固定される。従って包装部材１のラッパー３ａ−３ｈに配された喫煙品４は、形成されたパッケージ１６の喫煙品収容スペース１９に配され、各喫煙品４のフィルター部分１５および各ラッパー３ａ−３ｈの第１セクション１２は、上方開口部２４から遠位に配される。
【００３９】
ユーザーがパッケージの蓋を開く、またはパッケージを開封して喫煙品収容スペース１９内に触れることができるようになると、各ラッパー３ａ−３ｈの第２セクション１３の上方部分が露出する。しかしながら当然のことながらパッケージに含まれている各喫煙品４は、望ましくない汚染物質、水分の進入から保護されており、大気から気密に封止され、外方シェル１８が開封されても、個々のラッパー３ａ−３ｈによって喫煙品の鮮度は維持される。
【００４０】
個々のラッパー３ａの内の１つに含まれている喫煙品４に触れるためにユーザーはパッケージ１６を保持し、喫煙品４を包み込んでいるラッパー３ａの内の１つの第２セクション１３ａの露出した上方部分を掴む。それからユーザーは、ラッパー３ａの露出した第２セクション１３ａをパッケージの外に引っ張る。この取り除く力によって第１および第２セクション１２ａ、１３ａが弱化された線１０に沿って分離し、これにより第２セクション１３ａが第１セクション１２ａから引き出され、パッケージの外に取り出される。第１セクション１２ａは、基部２に貼り付けられているのでパッケージの喫煙品収容スペース１９内に残る。
【００４１】
ラッパー３ａ内に含まれている喫煙品４は、ラッパー３ａの第２セクション１３ａ内に残り、ラッパー３ａが可撓性であるのでユーザーによって第２セクション１３ａの外面に加えられる圧力により第２セクション１３ａと一緒にパッケージ１８から引き出される。従って喫煙品４は、図２に示すようにそのある程度の長さが露出するようにラッパー３ａの第１セクション１２ａからスライドして出る。当然のことながら喫煙品のフィルター部分１５は、フィルター部分１５がラッパー３ａの第１セクション１２ａに収容されているので露出することになる。
【００４２】
喫煙品４が配されているラッパー３ａの第２セクション１３ａをパッケージから取り出すと、ユーザーは、喫煙品のフィルター部分１５を口に咥えてもよい。ラッパー３ａの残りの第２セクション１３ａは、図３に示すようにユーザーがラッパーに加えた圧力をゆるめて、第２セクションを喫煙品４の喫煙品部分１４に沿ってスライドさせることによって喫煙品からスライドさせてもよい。この構成にはユーザーが喫煙品に触れずに喫煙品を口に入れるので、より衛生的になるという利点がある。さらにラッパーをラッパーに片手で触れて喫煙品から取り除いてもよく、これにより喫煙品が損傷するリスクを減少させることができる。
【００４３】
２本目の喫煙品に触れるためにユーザーは、別のラッパー３ｂの第２セクション１３ｂを掴み、第２セクション１３ｂに力を加えて第２セクション１３ｂを第１セクション１２ｂから分離することによって上記工程を繰り返せばよい。
【００４４】
上記実施態様において基部は、その上面に個々のラッパーが貼り付けられる板紙パネルであるが、当然のことながらこれとは別の実施態様も可能である。例えば基部は、底壁から延びた直立壁を有してもよく、個々のラッパーは、これら直立壁に貼り付けてもよい。
【００４５】
本実施例では包装部材１は、喫煙品用パッケージに収容され、パッケージに固定されるインサートであるが、当然のことながらこれとは別の構成も可能である。例えば包装部材は、喫煙品用パッケージの一部を形成してもよい。このような実施態様では包装部材が喫煙品用パッケージと一体に形成され、基部はパッケージの底壁を形成する。これとは別に包装部材の基部が底壁から直立したパッケージの１つ以上の側壁を含み、各ラッパーの第１セクションが側壁に貼り付けられるようにすることも可能である。別の実施態様では包装部材の基部が各ラッパーの第１セクションが取り付けられた底壁から直立した１つ以上の支持部を含むことも可能である。
【００４６】
１つの従来のパッケージを示し、上述したが、当然のことながら喫煙品用パッケージ はこれに限定されず、本発明は、別の喫煙品用パッケージに適用可能であり、例えば１つの実施態様ではパッケージは、互いに底壁から蝶番式に開いて喫煙品収容スペースを利用できるようにする前壁と後壁を含んでもよい。
【００４７】
本発明の実施態様を示し、説明してきたが、当業者にとっては当然のことながら以下の特許請求の範囲に記載された本発明の範囲内に入る上記例示的実施態様を変形してもよい。
【図１】
2014521562.tif 000003
【図２】
2014521562.tif 000004
【図３】
2014521562.tif 000005
【図４】
2014521562.tif 000006
【国際調査報告】
2014521562.tif 000007
2014521562.tif 000008
2014521562.tif 000009